(57)【要約】【課題】入力されるビデオ信号を処理して如何なる方式のビデオ信号であるかを正確に判別でき、しかもインターレース方式であるかプログレッシブ方式であるかを区別できるビデオ判別装置を提供する。【解決手段】入力されたビデオ信号を垂直同期信号ＶＳＹＮＣと水平同期信号ＨＳＹＮＣとに分離する手段１２と、１垂直同期信号間に存在している水平同期信号数をカウントするカウンタ手段１４とを備え、前記カウンタ手段の出力値に基いてカラーシステム及び解像度を判別する。この場合、前記カウンタ手段１４のカウント値の最下位ビットＱ１の値を垂直同期信号毎に保持するＱ１値保持回路１６と、Ｑ１値保持回路１６の１つ前の出力と最新の出力を比較する一致検出回路２０を備え、前記一致検出回路の出力に基いてインターレース方式であるかプログレッシブ方式であるかを判別することができる。【選択図】図１
2005236760.tif 000002
【特許請求の範囲】
【請求項１】
入力されたビデオ信号を垂直同期信号と水平同期信号とに分離する手段と、１垂直同期信号間に存在している水平同期信号数をカウントするカウンタ手段とを備え、前記カウンタ手段の出力値に基いてカラーシステム及び解像度を判別することを特徴とするビデオ信号判別装置。
【請求項２】
前記カウンタ手段のクロック入力端子に水平同期信号を入力し、前記カウンタ手段のリセット端子に垂直同期信号を入力してカウントさせるようにしたことを特徴とする請求項１に記載のビデオ信号判別装置。
【請求項３】
前記カウンタ手段のカウント値の最下位ビットＱ１の値を垂直同期信号毎に保持するＱ１値保持回路と、前記Ｑ１値保持回路の１つ前の出力と最新の出力を比較する一致検出回路を備え、前記一致検出回路の出力に基いてインターレース方式であるかプログレッシブ方式であるかを判別することを特徴とする請求項２に記載のビデオ信号判別装置。
【請求項４】
前記一致検出回路から不一致出力があるにはインターレース方式であると判別することを特徴とする請求項３に記載のビデオ信号判別装置。
【請求項５】
前記一致検出回路から一致出力がある場合には、更に前記カウンタ回路のカウント数を基にしてインターレース方式であるかプログレッシブ方式であるかを判別することを特徴とする請求項３に記載のビデオ信号判別装置。
【請求項６】
前記カウンタ手段のカウント値が一定時間変化するか否かを検知し、変化しない場合にはビデオ信号が存在していないと判別することを特徴とする請求項１〜５の何れかに記載のビデオ信号判別装置。
【請求項７】
前記ビデオ信号が、ＮＴＳＣＭ ５２５（インターレース）、ＰＡＬ Ｍ ５２５（インターレース）、ＰＡＬ６２５（インターレース）、５２５（プログレッシブ）、ＨＤＴＶ１１２５（インターレース）、ＨＤＴＶ１２５０（インターレース）、ＨＤＴＶ７５０（プログレッシブ）、ＨＤＴＶ１１２５（プログレッシブ）から選択された少なくとも２種を含むことを特徴とする請求項１〜６のいずれかに記載のビデオ信号判別装置。
【請求項８】
前記ビデオ信号がＮＴＳＣＭ ５２５（インターレース）及びＰＡＬ Ｍ ５２５（インターレース）を同時に含む場合には、更に国別情報をも利用して両者を区別するようにしたことを特徴とする請求項７に記載のビデオ信号判別装置。
【発明の詳細な説明】
【技術分野】
【０００１】
本発明は、従来からのビデオ信号や高品質ビデオ信号のカラーシステムや解像度等の方式を判別するビデオ信号判別装置に関し、特にＤ端子を使用していないビデオ信号を表示ないしは記録し再生する装置において、ビデオ信号の方式を自動的に判別して復調するためのビデオ信号判別装置に関する。
【背景技術】
【０００２】
ビデオ信号再生機器の代表的なビデオ信号方式としてはインターレース式のＮＴＳＣ方式、ＰＡＬ方式、ＳＥＣＡＭ方式が世界的に使用されているが、近年に至り従来からのビデオ信号方式のみならず高品質、高画質なビデオ信号として、ノンインターレス（プログレッシブ）方式ビデオ信号、ＥＤＴＶ−２（Extended Definition TV、ワイドテレビジョン）方式やＨＤＴＶ（高解像度テレビジョン）方式のビデオ信号も使用されるようになってきており、現在使用されているＴＶ受像機及び記録再生装置（ＶＴＲ、ＤＶＤ等）もこのような各方式に対応する受信部や復調部を備えている。なお、インターレース方式とはビデオ信号において走査線を１本おきに表示装置に送って２回の走査で１画面情報を送る形式のものを示し、プログレッシブ方式とは走査線を上から下へと順次表示装置に送って１回の走査で１画面情報を送るものを示す。
【０００３】
そして、近年のディジタル信号処理技術の発展により、量産効果によるコスト低下が期待できるため、これらの複数のビデオ信号方式を切換えて処理できるシステムが製造されるようになってきている。
【０００４】
このうち、Ｄ端子を備えるＴＶ受像機ないしは記録再生装置では、ＥＩＡＪ  ＣＰ４１２０で規格化されているように、Ｄ端子内に設けられているライン１〜３までの端子に図６に示すような電圧で表される識別信号がビデオ信号供給元から送られてくる。
【０００５】
したがって、Ｄ端子を備えるＴＶ受像器ないしは記録再生装置では別途如何なる方式のビデオ信号であるかを判別するための手段は必要としないが、Ｄ端子を備えていないＴＶ受像器ないしは記録再生装置では、複数のビデオ信号方式を切換えて正常に表示するために、如何なる方式のビデオ信号であるかを判別するための手段を設けることが必要不可欠である。
【０００６】
例えば、下記特許文献１には複数のビデオ信号方式を切換えて処理できるテレビジョン方式識別信号の検出装置の発明が開示されている。そこで、本発明の理解のために、下記特許文献１に開示されているテレビジョン方式識別信号の検出装置の発明を図４〜図５を用いて説明する。なお、図４はテレビジョン方式識別信号の検出装置のブロック図であり、図５はＥＤＴＶ−２方式のビデオ信号の識別信号を説明するための波形図である。
【０００７】
ＥＤＴＶ−２方式のビデオ信号は、現行のテレビジョン方式（ＮＴＳＣ）との両立性を保ち、テレビ映像のワイド化、高画質化を実現する第２世代ＥＤＴＶのテレビジョン信号である。ＥＤＴＶ−２方式のビデオ信号では、画面サイズの情報や補強信号の有無、補強信号の復調に必要な位相情報などを、識別信号として２２Ｈ、２８５Ｈの走査線に重畳している。
【０００８】
ＥＤＴＶ−２対応のテレビジョン受信機では、識別信号の有無により受信しているテレビジョン信号方式の識別を行い、この識別信号から画面サイズの変更や補強信号の再生などを行う。特に、アスペクト比が１６：９の横長のテレビジョン受信機では、映像の垂直幅に応じて自動的に画面一杯に映像を拡大するためのアスペクト情報を得る手段としても前記識別信号検出が使用されており、この識別信号を利用できない通常のアスペクト比が４：３のテレビジョン受信機では表示画面の上下に非表示領域が生じてしまう。
【０００９】
ＥＤＴＶ−２方式のビデオ信号の識別信号のＢ１、Ｂ２はリファレンス信号となっており、Ｂ１の立ち下がり位置がＢ３以降の識別信号の基準位置となる。このＢ１を検出するためには、図５に示したように、識別信号全域をカバーする水平検出範囲を設定し、カラーバースト信号後縁からＢ１の立ち上がりまでの間に、識別信号の検出を開始する必要がある。
【００１０】
従来技術では、識別信号検出を行う水平検出開始位置、水平検出範囲、検出走査線が固定されていた。ところが、テレビジョン方式識別信号は、ゴーストや同期信号の付け変え、または、ダビング等により、重畳される水平位相や走査線がずれることがある。このとき、識別信号の重畳位相が大きく進むと、例えばＥＤＴＶ−２信号の識別信号の場合、Ｂ１の立ち上がりが水平検出開始位置より前になり、Ｂ１の立ち上がりが検出できなくなり、逆に大きく位相が遅れると、Ｂ２７が水平検出範囲から外れてしまい、検出できなくなる。また、走査線がずれた場合においても、識別信号の検出ができなくなる。
【００１１】
そこで、下記特許文献１に開示されている発明では、テレビジョン方式識別信号が重畳される水平位相や走査線にずれが生じた場合において、そのずれに追従して識別信号を検出することできるようになすために、図４に示したような構成のテレビジョン方式識別信号の検出装置５０としている。すなわち、水平同期信号入力端子５１から入力される水平同期信号は、水平同期信号カウンタ５５に入力される。水平同期信号カウンタ５５は、垂直同期信号入力端子５２から入力される垂直同期信号でリセットするカウンタで、制御マイコン５８によって設定される走査線の水平同期信号を検出し、制御信号を出力する。この制御信号は、遅延回路５６を経由して、識別信号検出回路５７に入力される。遅延回路５６は、サンプリングクロック入力端子５３から入力されるサンプリングクロック単位で制御信号を遅延させ、制御マイコン５８によって設定される値によって、この遅延回路５６で水平検出開始位置が制御される。
【００１２】
テレビジョン信号入力端子５４から入力されたテレビジョン信号は、識別信号検出回路５７に入力され、遅延回路５６からの制御信号によって水平検出開始位置、検出走査線が制御され、サンプリングクロック入力端子５３から入力されるサンプリングクロックによって識別信号の検出が行われる。識別信号検出回路５７で行われた識別信号検出結果は、識別信号検出結果出力端子５９から出力されるとともに、制御マイコン５８に入力される。制御マイコン５８では、識別信号検出回路５７からの識別信号検出結果により、水平同期信号カウンタ５５、遅延回路５６の制御を行う。
【００１３】
制御マイコン５８は、初期設定値として、テレビジョン方式識別信号が所定の位置に重畳されたときに、それを検出できる検出走査線を水平同期信号カウンタ５５に、水平検出開始位置を遅延回路５６に、それぞれ設定する。このとき、テレビジョン信号入力端子５４から識別信号検出回路５７に入力されたテレビジョン信号から、識別信号が検出できた場合には、現在の水平検出開始位置、検出走査線を保持するように動作する。
【００１４】
一方、上記の初期設定値で識別信号が検出できなかった場合には、まず、制御マイコン５８は遅延回路５６を制御し、水平検出開始位置を変化させる。このとき、制御マイコン５８は、任意に定めた水平検出開始位置変化範囲内で遅延回路５６の制御を行い、この範囲内で識別信号が検出できなかった場合には、水平同期信号カウンタ５５を制御し、検出走査線の変更を行う。検出走査線が変更されたら、また、遅延回路５６を制御し、水平検出開始位置を変化させて、識別信号の検出を行う。検出走査線についても任意の検出走査線範囲を定め、その範囲内で水平同期信号カウンタ５５を制御し、識別信号が検出できなかった場合には、水平同期信号カウンタ５５、遅延回路５６を初期調整値に戻し、識別信号を検出するまで、上述の動作を繰り返す。
【００１５】
初期設定値以外の設定で識別信号が検出できた場合には、その安定性をみてから、現在の水平検出開始位置、検出走査線を保持する。また、初期設定値以外の設定で識別信号が検出できる状態から、識別信号が検出できなくなった場合には、水平検出開始位置、検出走査線を初期設定値に戻してから、識別信号の検出を行う。
【００１６】
このような構成のテレビジョン方式識別信号の検出装置５０によれば、入力されたテレビジョン方式識別信号が、ゴーストや同期信号の付け変え等によりその重畳される水平位相や走査線がずれた場合においても、そのずれに追従して水平検出開始位置、検出走査線を変化させるため、識別信号を検出することが可能となり、そのため、テレビジョン信号に重畳されている高画質化信号の再生やアスペクト変換を正確に行うことが可能となるというものである。
【特許文献１】特開平０９−１６３２５５号公報
【発明の開示】
【発明が解決しようとする課題】
【００１７】
しかしながら、上記特許文献１に開示されているテレビジョン方式識別信号の検出装置５０では、水平検出開始位置、検出走査線が制御され、識別信号の検出が行われるので、制御のタイミングが微妙であり、特に同期信号分離回路の性能が良好でない場合には、誤った検出を起こしやすいという問題点が存在していた。また、このテレビジョン方式識別信号の検出装置５０は、入力されるテレビジョン信号の方式が変化した直後には、テレビジョン信号が安定化していないために識別信号の読み取りが困難となり、誤動作を起こしやすいという問題点も存在していた。加えて、高品質、高画質なビデオ信号としてプログレッシブ方式ビデオ信号を使用する例もあるが、前記テレビジョン方式識別信号の検出装置５０は、インターレース方式であるかプログレッシブ方式であるかを区別できないという問題点も存在していた。
【００１８】
このように、従来のテレビジョン方式識別信号の検出装置では一部の高品質ビデオ信号で正しい識別情報が得られない状況にあった。そこで、本発明者等は上述のような従来技術の有する問題点を解決すべく種々検討を重ねた結果、入力されたビデオ信号を垂直同期信号（ＶＳＹＮＣ）と水平同期信号（ＨＳＹＮＣ）とに分離した後、１垂直同期信号間に水平同期信号が何個存在していたかをカウントすることにより、カラーシステムの差異や解像度等の判別、すなわちビデオ信号を判別することができることを見いだし、本発明を完成するに至ったのである。
【００１９】
すなわち、本願発明は、入力されるビデオ信号を処理して如何なる方式のビデオ信号であるかを正確に判別でき、しかもインターレース方式であるかプログレッシブ方式であるかを区別できるビデオ信号判別装置を提供することを目的とする。
【課題を解決するための手段】
【００２０】
本発明の上記目的は以下の構成により達成し得る。すなわち、本願の請求項１に記載のビデオ信号判別装置の発明は、入力されたビデオ信号を垂直同期信号と水平同期信号とに分離する手段と、１垂直同期信号間に存在している水平同期信号数をカウントするカウンタ手段とを備え、前記カウンタ手段の出力値に基いてカラーシステム及び解像度を判別することを特徴とする。
【００２１】
また、本願の請求項２に記載の発明は、前記請求項１に記載のビデオ信号判別装置において、前記カウンタ手段のクロック入力端子に水平同期信号を入力し、前記カウンタ手段のリセット端子に垂直同期信号を入力してカウントさせるようにしたことを特徴とする。
【００２２】
また、本願の請求項３に記載の発明は、前記請求項２に記載のビデオ信号判別装置において、前記カウンタ手段のカウント値の最下位ビットＱ１の値を垂直同期信号毎に保持するＱ１値保持回路と、前記Ｑ１値保持回路の１つ前の出力と最新の出力を比較する一致検出回路を備え、前記一致検出回路の出力に基いてインターレース方式であるかプログレッシブ方式であるかを判別することを特徴とする。
【００２３】
また、本願の請求項４に記載の発明は、前記請求項３に記載のビデオ信号判別装置において、前記一致検出回路から不一致出力があるにはインターレース方式であると判別することを特徴とする。
【００２４】
また、本願の請求項５に記載の発明は、前記請求項３に記載のビデオ信号判別装置において、前記一致検出回路から一致出力がある場合には、更に前記カウンタ回路のカウント数を基にしてインターレース方式であるかプログレッシブ方式であるかを判別することを特徴とする。
【００２５】
また、本願の請求項６に記載の発明は、前記請求項１〜５の何れかに記載のビデオ信号判別装置において、前記カウンタ手段のカウント値が一定時間変化するか否かを検知し、変化しない場合にはビデオ信号が存在していないと判別することを特徴とする。
【００２６】
また、本願の請求項７に記載の発明は、前記請求項１〜６のいずれかに記載のビデオ信号判別装置において、前記ビデオ信号が、ＮＴＳＣＭ ５２５（インターレース）、ＰＡＬ Ｍ ５２５（インターレース）、ＰＡＬ、６２５（インターレース）、５２５（プログレッシブ）、ＨＤＴＶ、１１２５（インターレース）、ＨＤＴＶ、１２５０（インターレース）、ＨＤＴＶ、７５０（プログレッシブ）、ＨＤＴＶ、１１２５（プログレッシブ）から選択された少なくとも２種を含むことを特徴とする。
【００２７】
更に、本願の請求項８に記載の発明は、前記請求項７に記載のビデオ信号判別装置において、前記ビデオ信号がＮＴＳＣＭ ５２５（インターレース）及びＰＡＬ Ｍ ５２５（インターレース）を同時に含む場合には、更に国別情報をも利用して両者を区別するようにしたことを特徴とする。
【発明の効果】
【００２８】
本発明は上記の構成を備えることにより以下に述べるとおりの優れた効果を奏する。すなわち、本願の請求項１に記載のビデオ信号判別装置によれば、簡単な構成でビデオ信号が如何なる形式のものであるかを判別することができるようになる。
【００２９】
また、本願の請求項２に記載のビデオ信号判別装置によれば、簡単な構成により垂直同期信号毎に水平同期信号の数をカウントすることができ、しかも同期分離回路が簡易品ないしは安価品であって性能が格別に良くなくても、そのカウント値から容易に各種のビデオ信号を判別することができるようになる。
【００３０】
また、本願の請求項３に記載のビデオ信号判別装置によれば、前記カウンタの最下位ビットＱ１の値を垂直同期信号毎に保持するＱ１値保持回路を備えているので、マイコンが必要なときに一致回路の出力としてＱ１値を読むことができるためにマイコンの負荷を低減でき、しかもこの値から容易にインターレース方式であるかプログレッシブ方式であるかを判断できる。
【００３１】
また、本願の請求項４に記載のビデオ信号判別装置によれば、１画面が奇数走査線のインターレース方式では１画面毎の走査線が偶数及び奇数と二回に分けて送られてくるため、少なくとも一致回路から一致出力が生じていない場合はインターレース方式となるので、１画面が奇数走査線のインターレース方式であることが誤りなく検出できる。
【００３２】
また、本願の請求項５に記載のビデオ信号判別装置によれば、プログレシブ方式及び１画面が偶数走査線のインターレース方式では一致回路から一致出力が生じるため、そのままではプログレシブ方式と１画面が偶数走査線のインターレース方式を区別できないが、インターレース方式では前記カウンタ回路の出力がプログレッシブ方式のカウント値の半分となるため、このカウンタ回路の出力と併せて判別することにより正確にプログレッシブ方式と１画面が偶数走査線のインターレース方式を区別することができるようになる。
【００３３】
また、本願の請求項６に記載のビデオ信号判別装置によれば、ビデオ信号が存在していない場合にはビデオ信号の判別を中止することができ、また、ノイズ画面（砂嵐など）が表れることを防止することができる。
【００３４】
また、本願の請求項７に記載のビデオ信号判別装置によれば、例示された世界中で標準的に使用されている高品質表示を含む多種多様なビデオ信号の判別が可能となる。
【００３５】
また、本願の請求項８に記載のビデオ信号判別装置によれば、ＮＴＳＣＭ ５２５（インターレース）及びＰＡＬ Ｍ ５２５（インターレース）の場合には、カウント値が両者同一となるために、このままでは正確に両者の判別ができないが、ＮＴＳＣＭ方式は日本のテレビジョン放送で採用されている方式であるのに対しＰＡＬＭ方式は南米のテレビジョン放送で使用されている方式であるので、別途仕向地別に用意された国別情報を利用すれば、ＮＴＳＣＭ ５２５（インターレース）およびＰＡＬ Ｍ ５２５（インターレース）を区別することができるようになる。
【発明を実施するための最良の形態】
【００３６】
以下、図面を参照して、本発明の最良の実施形態を説明する。但し、以下に示す実施形態は、本発明の技術思想を具体化するためのビデオ信号判別装置の一例を例示するものであって、本発明をこのビデオ信号判別装置に特定することを意図するものではなく、特許請求の範囲に含まれるその他の実施形態のものも等しく適用し得るものである。
【００３７】
図１は、本発明の最良の実施形態に係るビデオ信号判別装置のブロック図であり、図２は図１のＱ１値保持回路及び一致回路の一具体例の回路図であり、また、図３は図１の信号有無検出回路の一具体例の回路図である。
【００３８】
このビデオ信号判別装置１０は、同期分離回路１２、カウンタ回路１４、Ｑ１値保持回路１６、信号有無検出回路１８、一致検出回路２０及びマイコンＩ／Ｏ２２を備えている。
【００３９】
同期分離回路１２はアナログビデオ信号ないしはディジタルビデオ信号からＨＳＹＮＣ（水平同期信号）及びＶＳＹＮＣ（垂直同期信号）を分離し、出力する回路であり、周知のものである。
【００４０】
カウンタ回路１４は、カウント回路とＶＳＹＮＣに同期したカウント値保持回路から構成されており、ＶＳＹＮＣの１周期間にＨＳＹＮＣが何パルス存在したかをカウントしてその最大値を保持している。用途によって必要なカウント桁は様々に選択し得るが、本実施例では１２桁（１２ｂｉｔｓ）とした。
【００４１】
Ｑ１値保持回路１６は、カウンタ回路１４の最下位ｂｉｔ値（Ｑ１）をＶＳＹＮＣ毎に保持し、１つ前のＶＳＹＮＣの最下位ｂｉｔ値と最新の最下位ｂｉｔ値を保持する。一致検出回路２０はＱ１値保持回路２０で保持されている１つ前のＶＳＹＮＣの最下位ｂｉｔ値と最新の最下位ｂｉｔ値の比較を行う。
【００４２】
プログレッシブ方式及び１画面が偶数走査線のインターレース方式では走査毎にＨＳＹＮＣのカウント値が変動しないために最下位ｂｉｔ値は変化しないが、１画面が奇数走査線のインターレース方式、例えばＮＴＳＣＭＭ（５２５インターレース）方式では各ＶＳＹＮＣ毎にＨＳＹＮＣの理論カウント値は２６２及び２６３となるので、各ＶＳＹＮＣ毎にＨＳＹＮＣの最下位ビット値は変化する。したがって、一致検出回路２０の出力が「不一致」状態を示している場合には、インターレース方式であると判断される。プログレッシブ方式及び１画面が偶数走査線のインターレース方式の判別は、各ＶＳＹＮＣ毎のＨＳＹＮＣのカウント値の大きさをも対比することにより判別できる。
【００４３】
Ｑ１値保持回路１６は、例えば図２に示すように、２つのＤフリップフロップ回路１７１及び１７２により構成し得る。すなわち、ＶＳＹＮＣを第１のＤフリップフロップ回路１７１及び第２のＤフリップフロップ回路１７２のクロック入力端子ＣＬＫへ入力し、Ｑ１からの信号値を第１のＤフリップフロップ回路１７１のデータ入力端子Ｄへ入力し、第１のＤフリップフロップ回路１７１の出力端子Ｑの出力を第２のＤフリップフロップ回路１７２のデータ入力端子Ｄへ入力する。そうすると、第１のＤフリップフロップ回路１７１の反転Ｑ出力端子より最新のＱ１値が、また、第２のＤフリップフロップ回路１７２の反転Ｑ出力端子より１つ前のＱ１値が得られる。
【００４４】
また、前記第１及び第２のＤフリップフロップ回路の反転Ｑ出力端子の出力を、図２に示すように、排他的論理和（ＥｘＯＲ）回路２１からなる一致検出回路２０へ入力すると、最新のＱ１と１つ前のＱ１値が異なる場合にのみ一致検出回路２０からの出力がＨ状態となる。
【００４５】
また、信号有無検出回路１８は、ＶＳＹＮＣの有無を検知する。一定時間内にＶＳＹＮＣが検出されなければビデオ信号がないことを意味する。この信号検出回路１８も、図３に示すように、Ｄフリップフロップ回路１９により形成し得る。すなわち、ＶＳＹＮＣをＤフリップフロップ回路１９のクロック入力端子ＣＬＫへ入力し、マイコン２２から一定時間毎にクリア端子ＣＬへクリア信号を入力すると、ＶＳＹＮＣが入力されている場合にのみ出力端子Ｑの出力がＨ状態となる。
【００４６】
このように構成された本発明の最良の実施形態に係るビデオ信号判別装置１０に対し各種のビデオ信号を入力した場合の、カウント理論値及び実機カウント値を図７にまとめて示した。
【００４７】
図７に示した結果によれば、一部にカウント理論値と実機カウント値の間に数値の差異が認められたが、実機のカウント値を考慮すると、ＮＴＳＣＭ ５２５（インターレース）方式とＰＡＬ Ｍ ５２５（インターレース）の判別以外は、ＰＡＬ６２５（インターレース）、５２５（プログレッシブ）、ＨＤＴＶ１１２５（インターレース）、ＨＤＴＶ１２５０（インターレース）、ＨＤＴＶ７５０（プログレッシブ）の各ビデオ信号の方式を区別できることがわかった。なお、ＨＤＴＶ１１２５（プログレッシブ）の実機によるカウントは、測定装置の性能上の理由から、行うことができなかった。
【００４８】
ＰＡＬ６２５（インターレース）方式の実機カウント結果は、奇数インターレース方式のものであるにも拘わらず偶数インターレース方式ないしはプログレッシブ方式のものと判別されたが、カウント値が３１０近傍のものはＰＡＬ６２５（インターレース）方式しかないので、判別が可能である。
【００４９】
このようなカウント理論値と実機カウント値の間に数値の差異が生じる理由は、現在のところまだ明確になってはいないが、おそらくは同期分離回路やカウント値の保持回路の構成による情報の欠け落ちなどが原因と考えられる。
【００５０】
なお、ＮＴＳＣＭ方式とＰＡＬ Ｍ方式とは、カウント理論値も実機カウント値も全く同じであるので、このままでは両方式の区別はできない。しかしながら、ＮＴＳＣＭ方式は日本のテレビジョン放送で採用されている方式であるのに対し、ＰＡＬＭ方式は南米のテレビジョン放送で使用されている方式であるので、製品の仕向けによって区別できるようにするため、設定メニューより国別情報を持たせればたとえ同じカウンタ値であってもＮＴＳＣＭ方式とＰＡＬ Ｍ方式とを区別することが可能となる。
【００５１】
なお、本発明のビデオ信号判別装置を単独で使用しても所定の効果を奏するが、従来のビデオ信号判別装置を併用するとより一層誤りなく正確にビデオ信号を判別することができ、ビデオ信号が切り替った場合に画像の乱れを少なくして直ちに正常な画像表示を行うことができるようになる。
【図面の簡単な説明】
【００５２】
【図１】本発明の最良の実施形態に係るビデオ信号判別装置のブロック図である。
【図２】図１のＱ１値保持回路及び一致検出回路の一具体例の回路図である。
【図３】図１の信号有無検出回路の一具体例の回路図である。
【図４】従来のテレビジョン方式識別信号検出装置のブロック図である。
【図５】従来のＥＤＴＶ−２方式のビデオ信号の波形図である。
【図６】従来のＤ端子の各ラインと識別電圧の関係を示す図である。
【図７】本発明の最良の実施形態に係るビデオ信号判別装置における、各カラーシステム及び方式のカウント理論値及び実機カウント値の関係を示す図である。
【符号の説明】
【００５３】
１０  ビデオ信号判別装置
１２  同期分離回路
１４  カウンタ回路
１６  Ｑ１値保持回路
１７１、１７２  Ｄフリップフロップ回路
１８  信号有無検出回路
１９  Ｄフリップフロップ回路
２０  一致検出回路
２１  排他的論理和回路
２２  マイコンＩ／Ｏ
【図１】
2005236760.tif 000003
【図２】
2005236760.tif 000004
【図３】
2005236760.tif 000005
【図４】
2005236760.tif 000006
【図５】
2005236760.tif 000007
【図６】
2005236760.tif 000008
【図７】
2005236760.tif 000009